(57)【要約】【課題】スイッチング素子の短絡固着や開放固着を検出して上下アーム短絡を回避しつつフェイルセーフ動作を行うＰＭＳＭの駆動システムを提供する。【解決手段】ＰＭＳＭを駆動するインバータ２０の制御装置が、各相出力電流を用いて制御演算を行う制御演算部５２と、その出力に基づきゲート信号を生成するゲート駆動回路５１とを備え、制御演算部５２は、半導体スイッチング素子の短絡固着や開放固着等を検知する異常検知機能５２ｂと、インバータ２０の各相出力電流を検出する相電流検出機能５２ａと、異常を検知した際の各相出力電流のバランス状態に応じて、インバータ２０の上下アーム短絡を回避しつつ全相の上アームまたは下アームのスイッチング素子をＯＮさせてＰＭＳＭの固定子巻線を短絡させる制御シーケンス処理機能５２ｃと、を有する。【選択図】図２
2020065341.tif 000002
【特許請求の範囲】
【請求項１】
三相の永久磁石同期モータを駆動する三相のインバータと、前記インバータを構成する半導体スイッチング素子の駆動信号を生成する制御装置と、を有する永久磁石同期モータの駆動システムにおいて、
前記制御装置は、
前記インバータの異常を検知する第１機能と、
前記インバータの各相出力電流を検出する第２機能と、
前記第１機能により異常を検知した際に前記永久磁石同期モータの固定子巻線を短絡させるために、前記第２機能により検出した各相出力電流のバランス状態に応じて、前記インバータの上下アームの短絡を回避しつつ全相の上アームまたは下アームの半導体スイッチング素子をＯＮさせるように前記駆動信号を生成する第３機能と、
を備えたことを特徴とした永久磁石同期モータの駆動システム。
【請求項２】
請求項１に記載した永久磁石同期モータの駆動システムにおいて、
前記駆動信号を生成する駆動回路が前記第１機能を備え、
前記第３機能は、前記駆動回路により異常を検知した際に、前記インバータの全ての半導体スイッチング素子をＯＦＦさせると共に、各相出力電流のバランス状態に応じて、前記インバータの上アームまたは下アームの半導体スイッチング素子の短絡固着の有無を判断することを特徴とした永久磁石同期モータの駆動システム。
【請求項３】
請求項２に記載した永久磁石同期モータの駆動システムにおいて、
前記第３機能は、前記インバータの上アームまたは下アームの半導体スイッチング素子に短絡固着有りと判断した時に、前記インバータの異常発生レグ以外のレグについて上アームまたは下アームの半導体スイッチング素子をＯＮさせて前記固定子巻線を短絡し、各相出力電流のバランス状態に応じて上アームまたは下アームの何れに短絡固着が有るかを判断することを特徴とした永久磁石同期モータの駆動システム。
【請求項４】
請求項２に記載した永久磁石同期モータの駆動システムにおいて、
前記第３機能は、前記インバータの上アームまたは下アームの半導体スイッチング素子に短絡固着無しと判断した時に、前記インバータの全てのレグについて上アームまたは下アームの半導体スイッチング素子をＯＮさせて前記固定子巻線を短絡し、各相出力電流のバランス状態に応じて上アームまたは下アームの何れに開放固着が有るかを判断し、または固着故障が無いと判断することを特徴とした永久磁石同期モータの駆動システム。
【請求項５】
請求項１に記載した永久磁石同期モータの駆動システムにおいて、
前記第１機能を、前記駆動信号を生成する駆動回路以外の部分が備えており、
前記第３機能は、前記第１機能により異常を検知した際に、前記各相出力電流のバランス状態に応じて、前記インバータの上アームまたは下アームの半導体スイッチング素子の開放固着の有無を判断し、または固着故障が無いと判断することを特徴とした永久磁石同期モータの駆動システム。
【発明の詳細な説明】
【技術分野】
【０００１】
本発明は、インバータにより永久磁石同期モータを駆動する駆動システムに関し、詳しくは、インバータを構成する半導体スイッチング素子の短絡故障や開放故障等を含む異常発生時に、異常発生部位を特定しながら同期モータの巻線を短絡して安全側への退避動作を行うフェイルセーフ技術に関するものである。
【背景技術】
【０００２】
図１１は、永久磁石同期モータの駆動システムの主回路構成図である。
図１１において、１０は直流電源、２０はＩＧＢＴやＭＯＳＦＥＴ等の半導体スイッチング素子Ｑｕ，Ｑｖ，Ｑｗ，Ｑｘ，Ｑｙ，Ｑｚからなる三相の電圧型インバータ、ＰＭＳＭは永久磁石同期モータである。以下では、永久磁石同期モータＰＭＳＭを単に同期モータとも言い、固定子巻線のみを図示する。
【０００３】
上記の駆動システムにおいて、外的要因により同期モータの回転子が強制的に駆動されると、発電機動作により発生する回生電圧が過大になってスイッチング素子を破壊したり、人体に危険を及ぼす恐れがある。
このため、従来より、インバータの直流電圧等の異常を検出してフェイルセーフ動作を行う発明が種々提供されている。
【０００４】
例えば、図１２は、特許文献１に記載されたインバータのフェイルセーフ装置を示している。図１２において、３０は駆動切替回路であり、インバータ２０の一相分のレグを構成するスイッチング素子Ｑｕ，Ｑｘの駆動信号（ゲート信号）を生成する。この駆動切替回路３０は、三相ＰＷＭ駆動回路３２と、過電圧検出回路３１に接続された三相短絡駆動回路３３と、各駆動回路３２，３３の出力信号に応じてスイッチング素子Ｑｕ，Ｑｘの駆動信号を生成するアンド回路３４及びオア回路３５と、を備えている。
なお、過電圧検出回路３１及び各駆動回路３２，３３は、他相のスイッチング素子に対する駆動信号の生成にも用いられる。
【０００５】
上記従来技術において、正常時には、三相ＰＷＭ駆動回路３２からのＰＷＭ信号により、アンド回路３４及びオア回路３５を介してスイッチング素子Ｑｕ，Ｑｘが駆動される。
また、インバータ２０の直流電圧が過電圧検出回路３１による設定電圧を超えると、三相短絡駆動回路３３の出力信号がオア回路３５を介してスイッチング素子Ｑｘに入力され、このスイッチング素子Ｑｘを他相のスイッチング素子Ｑｙ，Ｑｚと共に短絡させる。これにより、同期モータの回転数を低下させてインバータ２０の直流電圧を正常値にまで低下させることができる。
【０００６】
更に、図１３は、特許文献２に記載されたインバータのフェイルセーフ装置を示している。図１３において、３６は制御装置、３７は直流電圧検出手段、３８はフェイルセーフ機能を備えたインバータ駆動回路、３８ａはインバータ２０のスイッチング素子をＯＮさせる短絡手段、３８ｂはスイッチング素子を間欠的にＯＮさせる間欠短絡手段、３８ｃはスイッチング素子をＯＦＦさせる開放手段である。
【０００７】
この従来技術では、図１４に示すように、直流電圧検出手段３７が検出した直流電圧と短絡閾値及びそれより小さい開放閾値との大小関係に応じて、短絡手段３８ａによる短絡動作（ステップＳ５１，Ｓ５２）、開放手段３８ｃによる開放動作（ステップＳ５３，Ｓ５４）、または、間欠短絡手段３８ｂによる間欠短絡動作を選択する。これにより、インバータ２０の全相下アームの短絡（線間短絡）、全相上下アームの開放（線間開放）、または間欠的な短絡を行い、直流電圧上昇時のフェイルセーフ動作を行っている。
なお、特許文献２では、インバータの交流電圧やモータの回転速度に対しても、それぞれ所定の閾値との比較結果に基づく短絡動作、開放動作等を可能にしている。
【０００８】
上述した特許文献１，２に記載された従来技術は、主にインバータの直流電圧が過電圧になった時のフェイルセーフ技術に関するものである。
これに対し、インバータを構成するスイッチング素子の短絡故障等を検出し、短絡した相（レグ）や上下アームを特定して退避動作を行う従来技術が、特許文献３〜５に開示されている。
【０００９】
例えば、特許文献３には、インバータの異常を検出して上下アームを全てオフしたにも関わらず一定値以上の相電流が流れる場合に、各相電流をスムージングした信号に基づく差電流と一相短絡、二相短絡（二相の同アーム短絡）、三相短絡（三相の同アーム短絡）の各電流レベルとをそれぞれ比較して短絡相数、短絡相及び上下アームを特定し、全相を短絡させた後に他のインバータによる退避運転を行う発明が開示されている。
なお、図１５（ａ）は一相（Ｕ相）短絡時、図１５（ｂ）は二相（Ｕ相，Ｖ相）短絡時、図１５（ｃ）は三相短絡時の各相電流波形である。
【００１０】
また、特許文献４には、同期モータの逆起電力により発生する三相交流電流がゼロクロスする相の有無及び相数に基づいて、一相，二相，三相短絡を判別し、一相または二相短絡時には短絡相の電流の向きに応じて上アームまたは下アームを短絡して安全動作を行う技術が開示されている。
更に、特許文献５には、一相短絡故障が発生した時に三相短絡制御を行い、その状態で一相開放故障（他の二相の短絡）が発生したことを検出して安全動作に移行する技術が開示されている。
【先行技術文献】
【特許文献】
【００１１】
【特許文献１】特許第５８１３１６７号公報（段落［００１１］〜［００１９］、図１，図２等）
【特許文献２】特許第５３９８８１５号公報（段落［０００８］〜［００１３］、図１，図５等）
【特許文献３】特許第５００３５８９号公報（段落［００２４］〜［００３３］、図３，図４等）
【特許文献４】特開２０１６−１２３１４１号公報（段落［００４０］〜［００４３］、図８等）
【特許文献５】特許第５２７７８１７号公報（段落［０１０１］〜［０１２０］、図７等）
【発明の概要】
【発明が解決しようとする課題】
【００１２】
特許文献１，２に記載された従来技術は、スイッチング素子の短絡固着や開放固着等を対象としたものではなく、これらの故障発生時には同期モータを駆動できなくなる場合がある。
また、特許文献１〜５に記載された従来技術では、インバータの全相の上アームまたは下アームのスイッチング素子をＯＮさせてフェイルセーフ動作を行う際に、反対側アームのスイッチング素子に短絡固着や開放固着等が生じていると、例えば上下アームの短絡等により二次故障を招く恐れがある。
【００１３】
そこで、本発明の解決課題は、インバータの各相出力電流のバランス状態に着目してスイッチング素子の短絡固着や開放固着等を検出し、上下アーム短絡を回避しつつ同期モータの固定子巻線を短絡させてフェイルセーフ動作を行うようにした永久磁石同期モータの駆動システムを提供することにある。
【課題を解決するための手段】
【００１４】
上記課題を解決するため、請求項１に係る発明は、三相の永久磁石同期モータを駆動する三相のインバータと、前記インバータを構成する半導体スイッチング素子の駆動信号を生成する制御装置と、を有する永久磁石同期モータの駆動システムにおいて、
前記制御装置は、
前記インバータの異常を検知する第１機能と、
前記インバータの各相出力電流を検出する第２機能と、
前記第１機能により異常を検知した際に前記永久磁石同期モータの固定子巻線を短絡させるために、前記第２機能により検出した各相出力電流のバランス状態に応じて、前記インバータの上下アームの短絡を回避しつつ全相の上アームまたは下アームの半導体スイッチング素子をＯＮさせるように前記駆動信号を生成する第３機能と、
を備えたことを特徴とする。
【００１５】
請求項２に係る発明は、請求項１に記載した永久磁石同期モータの駆動システムにおいて、
前記駆動信号を生成する駆動回路が前記第１機能を備え、前記第３機能は、前記駆動回路により異常を検知した際に、前記インバータの全ての半導体スイッチング素子をＯＦＦさせると共に、各相出力電流のバランス状態に応じて、前記インバータの上アームまたは下アームの半導体スイッチング素子の短絡固着の有無を判断することを特徴とする。
【００１６】
請求項３に係る発明は、請求項２に記載した永久磁石同期モータの駆動システムにおいて、
前記第３機能は、前記インバータの上アームまたは下アームの半導体スイッチング素子に短絡固着有りと判断した時に、前記インバータの異常発生レグ以外のレグについて上アームまたは下アームの半導体スイッチング素子をＯＮさせて前記固定子巻線を短絡し、各相出力電流のバランス状態に応じて上アームまたは下アームの何れに短絡固着が有るかを判断することを特徴とする。
【００１７】
請求項４に係る発明は、請求項２に記載した永久磁石同期モータの駆動システムにおいて、
前記第３機能は、前記インバータの上アームまたは下アームの半導体スイッチング素子に短絡固着無しと判断した時に、前記インバータの全てのレグについて上アームまたは下アームの半導体スイッチング素子をＯＮさせて前記固定子巻線を短絡し、各相出力電流のバランス状態に応じて上アームまたは下アームの何れに開放固着が有るかを判断し、または固着故障が無いと判断することを特徴とする。
【００１８】
請求項５に係る発明は、請求項１に記載した永久磁石同期モータの駆動システムにおいて、
前記第１機能を、前記駆動信号を生成する駆動回路以外の部分が備えており、前記第３機能は、前記第１機能により異常を検知した際に、前記各相出力電流のバランス状態に応じて、前記インバータの上アームまたは下アームの半導体スイッチング素子の開放固着の有無を判断し、または固着故障が無いと判断することを特徴とする。
【発明の効果】
【００１９】
請求項１に係る発明によれば、インバータの異常発生時に最終的に同期モータの巻線短絡を行う場合に、上下アーム短絡等の二次故障を回避しながら確実にフェイルセーフ動作を行うことができる。
請求項２に係る発明によれば、故障が発生したレグ（相）を特定してスイッチング素子の短絡固着の有無を判断することができる。
請求項３，４に係る発明によれば、短絡固着または開放固着が発生したアームを特定し、または固着故障の有無を判断することができる。
更に、請求項５に係る発明によれば、駆動回路以外の部分が異常を検知した場合に、開放固着が発生したアームを特定し、または固着故障の有無を判断することが可能である。
【図面の簡単な説明】
【００２０】
【図１】本発明の実施形態に係る駆動システムの主回路構成図である。
【図２】図１におけるインバータの制御装置の機能ブロック図である。
【図３】本発明の実施形態において異常を検知した時の制御シーケンスを示すフローチャートである。
【図４】全ゲート遮断時の各相電流の説明図である。
【図５】正常な巻線短絡時の各相電流の説明図である。
【図６】上アームのスイッチング素子の短絡固着時における各相電流の説明図である。
【図７】下アームのスイッチング素子の短絡固着時における各相電流の説明図である。
【図８】上アームのスイッチング素子の開放固着時における各相電流の説明図である。
【図９】下アームのスイッチング素子の開放固着時における各相電流の説明図である。
【図１０】本発明の実施形態において、その他の異常を検知した時の制御シーケンスを示すフローチャートである。
【図１１】永久磁石同期モータの駆動システムの主回路構成図である。
【図１２】特許文献１に記載された従来技術の構成図である。
【図１３】特許文献２に記載された従来技術の構成図である。
【図１４】特許文献２に記載されたフェイルセーフ動作を示すフローチャートである。
【図１５】一相，二相，三相短絡時の各相電流を示す波形図である。
【発明を実施するための形態】
【００２１】
以下、図に沿って本発明の実施形態を説明する。
図１は、この実施形態に係る駆動システムの主回路構成図である。図１において、１０は直流電源、２０はＩＧＢＴ等の半導体スイッチング素子Ｑｕ，Ｑｖ，Ｑｗ，Ｑｘ，Ｑｙ，Ｑｚからなる三相の電圧型インバータ、ＰＭＳＭは永久磁石同期モータである。なお、スイッチング素子Ｑｕ，Ｑｖ，Ｑｗ，Ｑｘ，Ｑｙ，Ｑｚには、ＭＯＳＦＥＴやパワトランジスタ等を用いても良い。
インバータ２０の各相（Ｕ，Ｖ，Ｗ相）の出力線には、電流検出器４０ｕ，４０ｖ，４０ｗが設けられ、各相の電流検出値は、図２に示す制御装置内の制御演算部５２に入力されている。
【００２２】
図２は、インバータ２０の制御装置の機能ブロック図である。この制御装置は、スイッチング素子Ｑｉ（ｉ＝ｕ〜ｚ）のゲート信号を生成するゲート駆動回路５１と、主としてソフトウェアからなる制御演算部５２とを備えている。
制御演算部５２は、電流検出器４０ｕ，４０ｖ，４０ｗによる検出信号が入力される相電流検出機能５２ａと、スイッチング素子Ｑｉの短絡故障や開放故障等を含むインバータの異常を検知する異常検知機能５２ｂと、相電流検出機能５２ａ及び異常検知機能５２ｂに基づいて後述の制御シーケンスを実行する制御シーケンス処理機能５２ｃと、正常運転時にインバータ２０をＰＷＭ制御するためにスイッチング素子Ｑｉに対するＰＷＭ信号を出力するＰＷＭ出力機能５２ｄと、異常発生時にスイッチング素子Ｑｉを強制的にＯＮさせるためのポート出力機能５２ｅと、これらの出力機能５２ｄ，５２ｅを切り替える切替機能５２ｆと、を有する。
また、ゲート駆動回路５１は、切替機能５２ｆの出力に応じてスイッチング素子ＱｉをＯＮ／ＯＦＦさせるゲート信号を生成する。
【００２３】
次に、この実施形態の動作を説明する。
制御シーケンス処理機能５２ｃは、例えば、スイッチング素子の短絡故障や開放故障等の異常発生時に図３の制御シーケンスを実行し、最終的に同期モータＰＭＳＭの固定子巻線を短絡させてフェイルセーフ動作を行う。
【００２４】
ここで、ゲート駆動回路５１が有する異常検知機能としては、上下アームの瞬間的な短絡を検出してゲートを遮断するＤＥＳＡＴ機能やセンス電流の過電流検知機能が知られている。しかし、これらの異常検知機能では異常発生レグの特定は可能であるが、アームの上下を特定できないと共に、異常が一過性のものか継続するもの（スイッチング素子の短絡固着や開放固着等）かの判別も不可能である。
そこで、本実施形態では、制御シーケンス処理機能５２ｃにより、異常発生時の三相電流のバランスに着目してインバータの異常発生レグやアームの上下を特定しながら巻線短絡を行わせるようにした。
【００２５】
以下、図３のフローチャート及び図４〜図１０を参照しつつ異常発生時の制御シーケンスを説明する。
図３は、ゲート駆動回路５１が有するＤＥＳＡＴ機能等によってインバータ２０の異常を検知した場合に、同期モータＰＭＳＭの固定子巻線を短絡するようにスイッチング素子を制御してフェイルセーフ動作を行うための制御シーケンスである。
【００２６】
まず、インバータ２０による同期モータＰＭＳＭの運転中に異常が検知されると、全てのスイッチング素子Ｑｉ（ｉ＝ｕ〜ｚ）に対するゲート信号を遮断し（ステップＳ１）、次にインバータ２０の各相電流のバランスを判断する（ステップＳ２）。
スイッチング素子Ｑｉが正常である場合、全ゲート遮断によってＯＦＦされたスイッチング素子Ｑｉは還流ダイオードのみに通流可能であるから、同期モータＰＭＳＭの固定子巻線の誘起電圧の極性に応じて、図４（ａ），（ｂ），（ｃ）に示す方向に回生電流が流れる。この時の各相電流Ｉｕ，Ｉｖ，Ｉｗの位相は図４（ｄ）のように互いに１２０［°］ずつずれており、バランスが保たれている（ステップＳ２ ＯＫ）。
【００２７】
この場合、全ゲート遮断指令に従って全てのスイッチング素子が正常にＯＦＦしているため、短絡固着していないと判断することができる。
そこで、図２のポート出力機能５２ｅ、切替機能５２ｆ及びゲート駆動回路５１を介して、全相の一方のアーム、例えば上アームのスイッチング素子をＯＮすることにより巻線短絡を試みる（ステップＳ３）。
【００２８】
次に、インバータ２０の各相電流のバランスを再び判断する（ステップＳ４）。上アームのスイッチング素子が開放固着していなければ、全相の上アームのスイッチング素子はステップＳ３によりＯＮしているので、各相電流Ｉｕ，Ｉｖ，Ｉｗはバランスしているはずである。
つまり、各相電流Ｉｕ，Ｉｖ，Ｉｗがバランスしている時には（ステップＳ４ ＯＫ）、少なくとも上アームのスイッチング素子は短絡固着または開放固着しておらず、上アームのスイッチング素子のＯＮによる巻線短絡は正常に行われている。なお、図５（ａ）は上アームのスイッチング素子のＯＮによって巻線短絡が正常に行われた時の電流経路であり、図５（ｂ）は各相電流Ｉｕ，Ｉｖ，Ｉｗの波形図である。
【００２９】
次に、下アームのスイッチング素子について固着故障の有無の確認が不要であれば（ステップＳ５ Ｙｅｓ）、上アームのスイッチング素子のＯＮによる巻線短絡が成功したものとして処理を終了する（ステップＳ３１）。
【００３０】
また、ステップＳ２において各相電流Ｉｕ，Ｉｖ，Ｉｗがアンバランスである場合（ステップＳ２ ＮＧ）、上アームまたは下アームのスイッチング素子に短絡固着が発生していると判断できる。
ここで、図６（ａ），（ｂ），（ｃ）は、例えばＵ相上アームのスイッチング素子Ｑｕが短絡固着している場合の、固定子巻線の誘起電圧の極性に応じた電流経路を示している。前記ステップＳ１によって全ゲートが遮断されているので、誘起電圧による電流は、図６（ａ），（ｂ）のようにインバータ２０の還流ダイオードのみを介して流れる。しかし、例えばあるレグのスイッチング素子が短絡固着していると、このスイッチング素子を介して、他の二相を流れる電流の和の逆極性の電流が流れるため、各相の電流波形に基づいて短絡固着しているレグを特定することができる。
例えば、スイッチング素子Ｑｕに短絡固着が発生している場合には、図６（ｃ）のようにスイッチング素子Ｑｕを介した電流経路が存在し、図６（ｄ）に示す波形のＵ相電流Ｉｕ＝−（Ｉｖ＋Ｉｗ）が観察される。
【００３１】
従って、短絡固着による異常発生レグはＵ相と判断し、他の二相（Ｖ相，Ｗ相）について、例えば上アームのスイッチング素子をＯＮすることによって全相の上アームのスイッチング素子をＯＮ状態とし、巻線短絡を試行する（ステップＳ６）。
その結果、各相電流Ｉｕ，Ｉｖ，Ｉｗがバランスしていれば（ステップＳ７ ＯＫ）、上アームのスイッチング素子のＯＮによる巻線短絡は成功し、異常発生レグであるＵ相の上アームのスイッチング素子が短絡固着していると判断して処理を終了する（ステップＳ３２）。
【００３２】
更に、図３のステップＳ７において各相電流Ｉｕ，Ｉｖ，Ｉｗがアンバランスであれば（ステップＳ７ ＮＧ）、異常発生レグであるＵ相の下アームのスイッチング素子Ｑｘが短絡固着している可能性がある。
ここで、図７（ａ），（ｂ）は、スイッチング素子Ｑｘが短絡固着している場合に全ゲート遮断（ステップＳ１）を行って各相電流がアンバランスである場合（ステップＳ２ ＮＧ）の電流経路であり、図７（ｃ），（ｄ）はＵ相以外のＶ相，Ｗ相の上アームのスイッチング素子をＯＮして巻線短絡を試行し（ステップＳ６）、各相電流がアンバランスである場合（ステップＳ７ ＮＧ）の電流経路である。
図７（ｅ）は、異常発生レグであるＵ相以外のＶ相，Ｗ相について、下アームのスイッチング素子をＯＮして巻線短絡を試行し、これが成功した場合（ステップＳ８，Ｓ３３）の電流経路であり、Ｕ相の下アームのスイッチング素子Ｑｘが短絡固着していると判断して処理を終了する。
【００３３】
また、図３のステップＳ４において各相電流Ｉｕ，Ｉｖ，Ｉｗがアンバランスであれば（ステップＳ４ ＮＧ）、上アームのスイッチング素子が開放固着しているため全相の上アームのスイッチング素子をＯＮさせて巻線短絡を行うことができない可能性がある。そこで、全相の下アームのスイッチング素子をＯＮさせて巻線短絡を行い、上アームにスイッチング素子の開放固着が発生していると判断して処理を終了する（ステップＳ９，Ｓ３４）。
【００３４】
図８（ａ）は、例えば上アームのスイッチング素子Ｑｕが開放固着している場合に、全ゲート遮断（ステップＳ１）を行って各相電流がバランスしている場合（ステップＳ２ ＯＫ）、の電流経路、図８（ｂ），（ｃ）は、全相の上アームのスイッチング素子をＯＮして巻線短絡を試行し（ステップＳ３）、各相電流がアンバランスである場合（ステップＳ４ ＮＧ）の電流経路である。また、図８（ｄ）は、その後に下アームのスイッチング素子をＯＮして巻線短絡が成功し、上アームのスイッチング素子Ｑｕが開放固着していると判断した場合（ステップＳ９，Ｓ３４）の電流経路である。
【００３５】
更に、ステップＳ５において、下アームのスイッチング素子について固着故障の有無を確認する必要がある場合（ステップＳ５ Ｎｏ）、全相の下アームのスイッチング素子をＯＮして巻線短絡を試行し（ステップＳ１０）、その後に各相電流のバランスを再び判断する（ステップＳ１１）。
そして、各相電流がバランスしていれば（ステップＳ１１ ＯＫ）、巻線短絡が成功し、下アームのスイッチング素子に固着故障がないと判断する（ステップＳ３５）。また、各相電流がアンバランスである場合（ステップＳ１１ ＮＧ）、上アームのスイッチング素子を再度ＯＮして巻線短絡を完了し、下アームのスイッチング素子が開放固着していると判断して処理を終了する（ステップＳ１２，Ｓ３６）。
【００３６】
図９（ａ）は、例えばＵ相の下アームのスイッチング素子Ｑｘが開放固着している場合に、全ゲート遮断（ステップＳ１）を行って各相電流がバランスしている場合（ステップＳ２ ＯＫ）、の電流経路、図９（ｂ）は、上アームのスイッチング素子をＯＮして巻線短絡を試行し（ステップＳ３）、各相電流がバランスしている場合（ステップＳ４ ＯＫ）の電流経路である。
また、図９（ｃ），（ｄ）は、下アームのスイッチング素子について固着故障の有無の確認が必要な場合に（ステップＳ５ Ｎｏ）、下アームのスイッチング素子をＯＮして巻線短絡を試行した結果、各相電流がアンバランスとなり（ステップＳ１０，Ｓ１１ ＮＧ）、その後に全相の上アームのスイッチング素子を再度ＯＮして巻線短絡が成功した場合（ステップＳ１２，Ｓ３６）の電流経路である。
【００３７】
なお、この種のモータ駆動システムでは、ゲート駆動回路５１により検知される異常以外にも、インバータの各相電流の過電流や直流入力電圧の過電圧など様々な異常が発生し得る。これらの異常に対しても、不要な励磁電圧や回生トルクの発生を抑制するために、同期モータＰＭＳＭの巻線短絡によるフェイルセーフ動作を行うことが有効である。
上記の点に鑑み、ゲート駆動回路５１の異常検知機能以外によって検知される異常（ここでは、その他の異常という）が発生した場合には、図１０の制御シーケンスに従って最終的に巻線短絡を行うことが望ましい。
【００３８】
図１０において、その他の異常が検知されると、ゲート駆動回路５１により検知される短絡固着は発生していないと想定し、例えば全相の上アームのスイッチング素子をＯＮして巻線短絡を試行し（ステップＳ２１）、その後に各相電流のバランスを判断する（ステップＳ２２）。
以後の各ステップ（Ｓ２３〜Ｓ２７及びＳ４１〜Ｓ４４）は、図３における各ステップ（Ｓ５，Ｓ９〜Ｓ１２及びＳ３１，Ｓ３５，Ｓ３６，Ｓ３４）とそれぞれ同一であるため、詳述を省略する。
【００３９】
なお、上述したその他の異常が発生した場合でも、スイッチング素子の開放固着の可能性は残るため、各相電流がアンバランスであって（ステップＳ２２ ＮＧまたはステップＳ２６ ＮＧ）巻線短絡の成功時には、それぞれ上アームまたは下アームに開放固着が発生していると判断する（ステップＳ４４，Ｓ４３）。
この場合、開放固着が発生しているレグ（相）を特定することはできないが、電流波形に顕著な特徴があることは明白なため、波形の特徴を更に分析して固着発生レグを特定することも可能である。
【符号の説明】
【００４０】
１０：直流電源
２０：インバータ
４０ｕ，４０ｖ，４０ｗ：電流検出器
５１：ゲート駆動回路
５２：制御演算部
５２ａ：相電流検出機能
５２ｂ：異常検知機能
５２ｃ：制御シーケンス処理機能
５２ｄ： ＰＷＭ出力機能
５２ｅ：ポート出力機能
５２ｆ：切替機能
Ｑｕ，Ｑｖ，Ｑｗ，Ｑｘ，Ｑｙ，Ｑｚ，Ｑｉ：半導体スイッチング素子
ＰＭＳＭ：永久磁石同期モータ
【図１】
2020065341.tif 000003
【図２】
2020065341.tif 000004
【図３】
2020065341.tif 000005
【図４】
2020065341.tif 000006
【図５】
2020065341.tif 000007
【図６】
2020065341.tif 000008
【図７】
2020065341.tif 000009
【図８】
2020065341.tif 000010
【図９】
2020065341.tif 000011
【図１０】
2020065341.tif 000012
【図１１】
2020065341.tif 000013
【図１２】
2020065341.tif 000014
【図１３】
2020065341.tif 000015
【図１４】
2020065341.tif 000016
【図１５】
2020065341.tif 000017